(57)【特許請求の範囲】
【請求項１】
第１のチャネルおよび少なくとも第２のチャネルを含む二重干渉計サブシステムと、
照明光源とを含むシステムであって、前記照明光源が、
第１の入力経路に沿って配置されていて第１の波長の光を生成すべく構成された第１のレーザ光源と、
少なくとも第２の入力経路に沿って配置されていて少なくとも第２の波長の光を生成すべく構成された少なくとも第２のレーザ光源と、
前記第１のレーザ光源の出力端および前記少なくとも第２のレーザ光源の出力端に光学的に接続されたコンバイナ／スプリッタ素子とを含み、
前記コンバイナ／スプリッタ素子が、前記第１の波長の光と、前記少なくとも第２の波長の光とを結合すべく構成されていて、
前記コンバイナ／スプリッタ素子が更に、前記第１の入力経路からの前記第１の波長の光の第１の部分と、前記少なくとも第２の入力経路からの前記少なくとも第２の波長の光の第１の部分とを前記二重干渉計サブシステムの前記第１のチャネルへ伝送すべく構成されていて、
前記コンバイナ／スプリッタ素子が更に、前記第１の入力経路からの前記第１の波長の光の第２の部分と、前記少なくとも第２の入力経路からの前記少なくとも第２の波長の光の第２の部分とを前記二重干渉計サブシステムの前記少なくとも第２のチャネルへ伝送すべく構成されているシステム。
【請求項２】
前記二重干渉計サブシステムが二波長二重フィゾー干渉計（ＤＷＤＦＩ）サブシステムを含んでいる、請求項１に記載のシステム。
【請求項３】
前記コンバイナ／スプリッタ素子がファイバ束コンバイナ／スプリッタ（ＦＢＣＳ）を含んでいる、請求項１に記載のシステム。
【請求項４】
前記照明光源の前記第１の入力経路が、前記第１のレーザ光源から前記コンバイナ／スプリッタ素子へ光を伝送する第１の複数の光ファイバを含んでいる、請求項１に記載のシステム。
【請求項５】
前記照明光源の少なくとも第２の入力経路が、前記少なくとも第２のレーザ光源から前記コンバイナ／スプリッタ素子へ光を伝送する少なくとも第２の複数の光ファイバを含んでいる、請求項１に記載のシステム。
【請求項６】
前記照明光源の第１の出力経路が、前記コンバイナ／スプリッタ素子から前記二重干渉計サブシステムの前記第１のチャネルへ光を伝送する第１の複数の光ファイバを含んでいる、請求項１に記載のシステム。
【請求項７】
前記照明光源の少なくとも第２の出力経路が、前記コンバイナ／スプリッタ素子から前記二重干渉計サブシステムの少なくとも第２のチャネルへ光を伝送する少なくとも第２の複数の光ファイバを含んでいる、請求項１に記載のシステム。
【請求項８】
第１の出力経路が第１の強度レベルで光を伝送し、少なくとも第２の出力経路が第１の強度レベルとは異なる第２の強度レベルで光を伝送する、請求項１に記載のシステム。
【請求項９】
前記第１の入力経路が第１の入力光ファイバ束により画定され、前記第２の入力経路が第２の入力光ファイバ束により画定され、第１の出力経路が第１の出力光ファイバ束により画定され、第２の出力経路が第２の出力光ファイバ束により画定される、請求項１に記載のシステム。
【請求項１０】
前記第１の入力光ファイバ束、前記第２の入力光ファイバ束、前記第１の出力光ファイバ束または前記第２の出力光ファイバ束のうち少なくとも１個が複数の光ファイバを含んでいる、請求項９に記載のシステム。
【請求項１１】
前記複数の光ファイバが１０〜１０００個の光ファイバを含んでいる、請求項１０に記載のシステム。
【請求項１２】
前記第１の出力経路の前記第１の出力光ファイバ束の光ファイバ、および前記少なくとも第２の出力経路の前記第２の出力光ファイバ束の光ファイバが不規則に分布している、請求項９に記載のシステム。
【請求項１３】
前記第１のレーザ光源または前記第２のレーザ光源の少なくとも一方がダイオードレーザである、請求項１に記載のシステム。
【請求項１４】
前記第１のレーザ光源または前記第２のレーザ光源の少なくとも一方が調整可能ダイオードレーザである、請求項１３に記載のシステム。
【請求項１５】
前記第１のレーザ光源が、紫外光、可視光、または近赤外光のうち少なくとも１個を含む光を生成する、請求項１に記載のシステム。
【請求項１６】
前記少なくとも第２のレーザ光源が、紫外光、可視光、または近赤外光のうち少なくとも１個を含む光を生成する、請求項１に記載のシステム。
【請求項１７】
前記第１のレーザ光源および前記少なくとも第２のレーザ光源が同時に光を発する、請求項１に記載のシステム。
【請求項１８】
前記第１のレーザ光源および前記少なくとも第２のレーザ光源が異なる時点で光を発する、請求項１に記載のシステム。
【請求項１９】
前記第１の入力経路に沿って伝送される光の強度が、前記少なくとも第２の入力経路に沿って伝送される光の強度とは異なる、請求項１に記載のシステム。
【請求項２０】
前記二重干渉計サブシステムの前記第１のチャネルへ伝送される光の強度が、前記二重干渉計サブシステムの前記少なくとも第２のチャネルへ伝送される光の強度とは異なる、請求項１に記載のシステム。
【請求項２１】
第１のチャネルおよび少なくとも第２のチャネルを含む光学サブシステムと、
照明光源を含むシステムであって、前記照明光源が、
第１の入力経路に沿って配置されていて第１の波長の光を生成すべく構成された第１のレーザ光源と、
少なくとも第２の入力経路に沿って配置されていて少なくとも第２の波長の光を生成すべく構成された少なくとも第２のレーザ光源と、
前記第１のレーザ光源の出力端および前記少なくとも第２のレーザ光源の出力端に光学的に接続されたコンバイナ／スプリッタ素子とを含み、
前記コンバイナ／スプリッタ素子が、前記第１の波長の光と、前記少なくとも第２の波長の光とを結合すべく構成されていて、
前記コンバイナ／スプリッタ素子が更に、前記光学サブシステムの前記第１のチャネルへの第１の出力経路と、前記光学サブシステムの少なくとも第２のチャネルへの少なくとも第２の出力経路とに沿って進むように前記結合光を分割すべく構成されているシステム。
【請求項２２】
前記コンバイナ／スプリッタ素子がファイバ束コンバイナ／スプリッタ（ＦＢＣＳ）を含んでいる、請求項２１に記載のシステム。
【請求項２３】
前記第１の出力経路の光ファイバおよび前記少なくとも第２の出力経路の光ファイバが不規則に分布している、請求項２１に記載のシステム。
【請求項２４】
前記第１のレーザ光源または前記第２のレーザ光源の少なくとも一方がダイオードレーザである、請求項２１に記載のシステム。
【請求項２５】
前記第１のレーザ光源または前記第２のレーザ光源の少なくとも一方が調整可能ダイオードレーザである、請求項２４に記載のシステム。
【請求項２６】
前記第１の入力経路が第１の入力光ファイバ束により画定され、前記第２の入力経路が第２の入力光ファイバ束により画定され、前記第１の出力経路が第１の出力光ファイバ束により画定され、前記第２の出力経路が第２の出力光ファイバ束により画定される、請求項２１に記載のシステム。
【請求項２７】
前記第１の入力光ファイバ束、前記第２の入力光ファイバ束、前記第１の出力光ファイバ束または前記第２の出力光ファイバ束のうち少なくとも１個が複数の光ファイバを含んでいる、請求項２６に記載のシステム。
【請求項２８】
前記複数の光ファイバが１０〜１０００個の光ファイバを含んでいる、請求項２７に記載のシステム。
【請求項２９】
前記第１のレーザ光源が、紫外光、可視光、または近赤外光のうち少なくとも１個を含む光を生成する、請求項２１に記載のシステム。
【請求項３０】
前記少なくとも第２のレーザ光源が、紫外光、可視光、または近赤外光のうち少なくとも１個を含む光を生成する、請求項２１に記載のシステム。
【請求項３１】
前記第１のレーザ光源および前記少なくとも第２のレーザ光源が同時に光を発する、請求項２１に記載のシステム。
【請求項３２】
前記第１のレーザ光源および前記少なくとも第２のレーザ光源が異なる時点で光を発する、請求項２１に記載のシステム。
【請求項３３】
前記第１の光源からの光の強度が、前記少なくとも第２の光源からの光の強度とは異なる、請求項２１に記載のシステム。
【請求項３４】
前記光学サブシステムの前記第１のチャネルへ伝送される光の強度が、前記光学サブシステムの前記少なくとも第２のチャネルへ伝送される光の強度とは異なる、請求項２１に記載のシステム。
【請求項３５】
第１の入力経路に沿って進む第１の波長の光を生成するステップと、
少なくとも第２の入力経路に沿って進む少なくとも第２の波長の光を生成するステップと、
前記第１の入力経路からの前記第１の波長の光と、前記少なくとも第２の入力経路からの前記少なくとも第２の波長の光とを結合するステップと、
光学システムの第１のチャネルと、前記光学システムの少なくとも第２のチャネルとに入射するように前記結合光を分割するステップを含む方法において、前記第１のチャネルおよび前記少なくとも第２のチャネルが、前記第１の入力経路からの前記第１の波長の光の一部および前記少なくとも第２の入力経路からの前記少なくとも第２の波長の光の一部を受光する方法。
【発明の詳細な説明】
【技術分野】
【０００１】
本開示は、干渉分光法の分野に関し、特に光コンバイナ／スプリッタを有する二波長二重干渉計に関する。
【背景技術】
【０００２】
関連出願の相互参照
本出願は、米子機特許法第１１９条（ｅ）の下で、Ｄｅｎｇｐｅｎｇ  Ｃｈｅｎ、Ｙｉ  Ｚｈａｎｇ、およびＪｅｆｆ  Ｚｈａｎｇを発明者とする２０１４年１１月２１日出願の米国仮出願第６２／０８３１１３号「ＤＵＡＬ  ＷＡＶＥＬＥＮＧＴＨ  ＤＵＡＬ  ＦＩＺＥＡＵ  ＩＮＴＥＲＦＥＲＯＭＥＴＥＲ（ＤＷＤＦＩ）  ＷＩＴＨ  ＦＩＢＥＲ  ＢＵＮＤＬＥ  ＣＯＭＢＩＮＥＲ／ＳＰＬＩＴＴＥＲ（ＦＢＣＳ）」を優先権主張するものであり、その全文を本明細書に引用している。
【０００３】
干渉分光法は、半導体ウエーハその他任意の半導体または非半導体基板等のサンプルの１個以上の空間特性を、当該サンプルの試験表面から反射された照射に関連付けられた情報に基づいて測定するための有用な技術である。半導体の製造はより高いレベルの正確性および精度を絶えず必要とするため、最新の製造技術の要求を満たすべく干渉分光技術の向上が必要とされる。
【先行技術文献】
【特許文献】
【０００４】
【特許文献１】米国特許出願公開第２００９／００４０５１９号
【発明の概要】
【発明が解決しようとする課題】
【０００５】
位相シフト干渉分光法は、より高い測定正確性、コントラスト非感受性、照明の均一性、および固定格子点で得られる位相を含むがこれらに限定されない他の干渉分光技術よりも優れた多くの利点をもたらす。サンプルに対して干渉分光法を実行する改良された方法およびシステムを提供するが望まれる。
【課題を解決するための手段】
【０００６】
本開示の１個以上の実施形態による、２個以上のレーザからの結合光を光学サブシステムの２個以上のチャネルへ伝送するシステムを開示する。一実施形態において、本システムは、第１のチャネルおよび少なくとも第２のチャネルを含む光学サブシステムを含んでいる。別の実施形態において、本システムは照明光源を含んでいる。別の実施形態において、照明光源は、第１の入力経路に沿って配置されていて第１の波長の光を生成すべく構成された第１のレーザ光源を含んでいる。別の実施形態において、照明光源は、少なくとも第２の入力経路に沿って配置されていて少なくとも第２の波長の光を生成すべく構成された少なくとも第２のレーザ光源を含んでいる。別の実施形態において、照明光源はコンバイナ／スプリッタ素子を含み、コンバイナ／スプリッタ素子は第１のレーザ光源の出力端および少なくとも第２のレーザ光源の出力端に光学的に接続されている。別の実施形態において、コンバイナ／スプリッタ素子は、第１の波長の光と、少なくとも第２の波長の光とを結合すべく構成されている。別の実施形態において、コンバイナ／スプリッタ素子は更に、光学サブシステムの第１のチャネルへの第１の出力経路と、光学サブシステムの少なくとも第２のチャネルへの少なくとも第２の出力経路とに沿って進むように結合光を分割すべく構成されている。
【０００７】
本開示の１個以上の実施形態による、二波長二重干渉計サブシステムの２個以上のレーザから２個以上のチャネルへ結合光を伝送するシステムを開示する。一実施形態において、本システムは、第１のチャネルおよび少なくとも第２のチャネルを含む二重干渉計サブシステムを含んでいる。別の実施形態において、本システムは照明光源を含んでいる。別の実施形態において、照明光源は、第１の入力経路に沿って配置されていて第１の波長の光を生成すべく構成された第１のレーザ光源を含んでいる。別の実施形態において、照明光源は少なくとも第２の入力経路に沿って配置されていて少なくとも第２の波長の光を生成すべく構成された少なくとも第２のレーザ光源を含んでいる。別の実施形態において、照明光源はコンバイナ／スプリッタ素子を含み、コンバイナ／スプリッタ素子は、第１のレーザ光源の出力端および少なくとも第２のレーザ光源の出力端に光学的に接続されている。別の実施形態において、コンバイナ／スプリッタ素子は、第１の波長の光と、少なくとも第２の波長の光とを結合すべく構成されている。別の実施形態において、コンバイナ／スプリッタ素子は更に、第１の入力経路からの第１の波長の光の第１の部分と、少なくとも第２の入力経路からの少なくとも第２の波長の光の第１の部分とを二重干渉計サブシステムの第１のチャネルへ伝送すべく構成されている。別の実施形態において、コンバイナ／スプリッタ素子は更に、第１の入力経路からの第１の波長の光の第２の部分と、少なくとも第２の入力経路からの少なくとも第２の波長の光の第２の部分とを二重干渉計サブシステムの少なくとも第２のチャネルへ伝送すべく構成されている。
【０００８】
本開示の１個以上の実施形態による、２個以上のレーザから光学サブシステムの２個以上のチャネルへ結合光を伝送する方法を開示する。一実施形態において、本方法は、第１の入力経路に沿って進む第１の波長の光を生成するステップを含んでいる。別の実施形態において、本方法は、少なくとも第２の入力経路に沿って進む少なくとも第２の波長の光を生成するステップを含んでいる。別の実施形態において、本方法は、第１の入力経路からの第１の波長の光と、少なくとも第２の入力経路からの少なくとも第２の波長の光とを結合するステップを含んでいる。別の実施形態において、本方法は、光学システムの第１のチャネルと、光学システムの少なくとも第２のチャネルとに入射するように結合光を分割するステップを含み、第１のチャネルおよび少なくとも第２のチャネルは、第１の入力経路からの第１の波長の光の一部および少なくとも第２の入力経路からの少なくとも第２の波長の光の一部を受光する。
【図面の簡単な説明】
【０００９】
当業者は添付図面を参照することにより本開示の多くの利点に対する理解が深まろう。
【図１Ａ】、本開示の１個以上の実施形態による、照明光源の２個以上のレーザから結合光を光学サブシステムの２個以上のチャネルへ伝送するシステムを示すブロック図である。
【図１Ｂ】本開示の１個以上の実施形態による、照明光源の２個以上のレーザからの結合光を二波長二重干渉計システムの２個以上のチャネルへ伝送するシステムを示すブロック図である。
【図１Ｃ】本開示の１個以上の実施形態による、２個以上のレーザからの光とを結合する照明光源のコンバイナ／スプリッタ素子を示す簡略模式図である。
【図１Ｄ】本開示の１個以上の実施形態による、コンバイナ／スプリッタ素子、および２個以上のレーザからの光とを結合する光ファイバ束の組の個々の光ファイバを示す簡略模式図である。
【図１Ｅ】本開示の１個以上の実施形態による、３個以上のレーザからの光とを結合する照明光源のコンバイナ／スプリッタ素子を示す簡略模式図である。
【図１Ｆ】本開示の１個以上の実施形態による、２個の光ファイバ終端間の距離を制御することにより選択された光路に沿った強度の調整を示すブロック図である。
【図１Ｇ】本開示の１個以上の実施形態による、２個の光ファイバ終端間の距離を制御することにより選択された光路に沿った強度の調整を示すブロック図である。
【図２】本発明の一実施形態による、照明光源の２個以上のレーザから結合光を光学サブシステムの２個以上のチャネルへ伝送する方法を示すフロー図である。
【発明を実施するための形態】
【００１０】
以下、添付図面に示す開示内容について詳細に述べる。
【００１１】
図１Ａ〜２に、照明光源の２個以上のレーザから結合光を光学サブシステムの２個以上のチャネルへ伝送するシステムおよび方法を示す。本開示の実施形態は、複数の光源からの光を結合または混合し、次いで二波長二重フィゾー干渉計（ＤＷＤＦＩ）システム、検査システム、または光学計測システム等、但しこれらに限定されない光学システムまたはサブシステムの複数のチャネルへ向けて結合光を分割することを目的とする。本開示のいくつかの実施形態は、ＤＷＤＦＩシステムを利用したウェーハ形状およびウェーハ厚さ変化の測定を目的とする。本開示の実施形態は、本開示の干渉分光システムのダイナミックレンジの拡大に有用であり、高傾斜ウェーハ、フィルムが堆積されたウェーハおよび／またはパターン化ウェーハを測定する場合の精度を向上させる。
【００１２】
図１Ａに、本開示の１個以上の実施形態による、照明光源の２個以上のレーザから結合光を光学サブシステムの２個以上のチャネルへ伝送するシステム１００を示す。
【００１３】
一実施形態において、システム１００は照明光源１０１を含んでいる。一実施形態において、照明光源１０１は、第１の光源１０４および第２の光源１０５を含んでいる。第１の光源１０４および第２の光源１０５は、２個以上のレーザを含む、但しこれに限定されない、光学分野で公知の任意の光源を含んでいてよい。例えば、第１の光源１０４および第２の光源１０５は、第１のダイオードレーザおよび第２のダイオードレーザ光源を含んでいてよいが、これに限定されない。例えば、第１の光源１０４および第２の光源１０５は、第１の調整可能ダイオードレーザおよび第２の調整可能ダイオードレーザ（ＴＤＬ）を含んでいてよいが、これに限定されない。別の実施形態において、第１の光源１０４と第２の光源１０５は異なる波長の光を生成する。例えば、第１の光源１０４は第１の波長λＡを有する光を発し、第２の光源１０５は第２の波長λＢを有する光を発する。
【００１４】
別の実施形態において、照明光源１０１はコンバイナ／スプリッタ素子１０６を含んでいる。コンバイナ／スプリッタ素子１０６は、複数の光信号を結合または多重化し、次いで結合／多重化された光信号を分割するのに適した任意の光学素子または装置を含んでいてよい。一実施形態において、コンバイナ／スプリッタ素子１０６は、ファイバ束コンバイナ／スプリッタ（ＦＢＳＣ）を含んでいる。例えば、コンバイナ／スプリッタ素子１０６は、光学分野で公知の任意のＦＢＳＣを含んでいてよい。
【００１５】
別の実施形態において、照明光源１０１は、光路１０８〜１１１を画定する光ファイバ束の組を含んでいる。ファイバ束は、第１および第２の光源１０４からコンバイナ／スプリッタ素子１０６に光を中継し、更にコンバイナ／スプリッタ素子１０６から光学サブシステム１０１の第１および第２のチャネルへ結合光を中継すべく機能する。
【００１６】
一実施形態において、第１の光源１０４が第１の入力経路１０８に沿って進む第１の波長λＡの光を発し、第２の光源１０５が第２の入力経路１０９に沿って進む第２の波長λＢの光を発する。別の実施形態において、コンバイナ／スプリッタ素子１０６は、第１の入力経路１０８からの第１の波長λＡの光と、第２の入力経路１０９からの第２の波長λＢの光とを結合する。次いで、コンバイナ／スプリッタ素子１０６は、光学サブシステム１０２の第１のチャネル（チャネル１）への第１の出力経路１１０と、光学サブシステム１０２の第２のチャネル（チャネル２）への第２の出力経路１１１とに沿って進むように結合光を分割する。この点に関して、コンバイナ／スプリッタ素子１０６は、光学サブシステム１０１のチャネル１およびチャネル２の両方において第１の光源１０４からの光と第２の光源１０５からの光を混合する。例えば、コンバイナ／スプリッタ素子１０６は、第１の入力経路１０８からの第１の波長λＡの光および第２の入力経路１０９からの第２の波長λＢの光を第１の出力経路１１０に沿って光学サブシステム１０２のチャネル１へ伝送することができる。更に、コンバイナ／スプリッタ素子１０６はまた、第１の入力経路１０８からの第１の波長λＡの光および第２の入力経路１０９からの第２の波長λＢの光を第２の出力経路１１１に沿って光学サブシステム１０２のチャネル２へ伝送することができる。
【００１７】
この点に関して、チャネル１およびチャネル２は共に第１の波長λＡおよび第２の波長λＢの光を受光する。別の実施形態において、コンバイナ／スプリッタ素子１０６は、チャネル１およびチャネル２における第１の波長λＡおよび第２の波長λＢの相対的な光量を制御すべく第１および第２の光源１０４、１０５からの光を結合および分割することができる。例えば、コンバイナ／スプリッタ素子１０６は、チャネル１およびチャネル２が受光するλＡ光およびλＢ光の含有率を制御すべく光の伝送を制御することができる。
【００１８】
システム１００の光学サブシステム１０２は、異なる波長の光および／または他の光学特徴を有する複数のチャネルを必要とする当分野で公知の任意の光学サブシステム、システムまたはツールを含んでいてよい。一実施形態において、システム１００の光学サブシステム１０２は二波長二重干渉計システムを含んでいる。
【００１９】
図１Ｂに、光学サブシステムが本開示の１個以上の実施形態による二波長二重干渉計である場合のシステム１００を示す。本明細書において、上述の説明例および実施形態が別途明記しない限り図１Ｂにも適用されるものと解釈すべきである点に注意されたい。
【００２０】
一実施形態において、光学サブシステム１０１は、二波長フィゾー二重（ＤＷＦＤＩ）干渉計である。システム１００は、サンプルの１個以上の空間特徴、例えば形状変化、厚さ変化および／またはサンプルの他の空間パラメータ変化を測定すべく構成されていてよい。別の実施形態において、ＤＷＦＤＵシステムは、サンプルに対してパターン化されたウェーハ外形（ＰＷＧ）測定を実行すべく適合されていてよく、これにより干渉計システム１００により測定されたサンプル傾斜（例：ウェーハ傾斜）のダイナミックレンジが、サンプル（例えばウェーハ）測定結果の異なる領域を縫合することにより拡張される。更に、各領域は、システム１００の空腔内で所与のサンプルを傾けることにより視準されていてよい。
【００２１】
二波長二重干渉計に関する記述が２００５年１月２５日出願の米国特許第６，８４７，４５８号に開示されており、その全文を本明細書に引用している。二波長二重干渉計に関する記述が２０１１年１１月２９日出願の米国特許第８，０６８，２３４号に開示されており、その全文を本明細書に引用している。二波長二重干渉計に関する記述が２０１４年１０月２日公開の米国公開特許第２０１４／０２９３２９１号に開示されており、その全文を本明細書に引用している。高傾斜サンプルの形状および厚さの測定に用いられる二波長二重干渉計に関する記述が２０１０年１２月７日出願の米国特許第７，８４７，９５４号に開示されており、その全文を本明細書に引用している。本開示が、単に説明目的で提示する図１Ｂに示す光学的構成に限定されない点に注意されたい。本開示が、波長調整可能な照明光源を位相シフトのために利用すべく構成された任意の位相シフト干渉分光システムにも拡張できる点を認識されたい。従って、システム１００の以下の説明は本開示を一切限定するものではない。
【００２２】
一実施形態において、システム１００の光学サブシステム１０２は、２個の干渉計１５０および１５１を含んでいる。一実施形態において、本開示を通じて記述するように、ＤＷＦＤＩシステム１００は照明光源１０１を含み、当該照明光源１０１は更に、チャネル１およびチャネル２を介して干渉計１５０、１５１へ光を伝送するべく構成されている。この点に関して、ＤＷＦＤＩシステム１００は、測定値を位相シフトさせるために照明光源１０１のコンバイナ／スプリッタ１０１からの結合光信号を利用すべく構成されている。
【００２３】
一実施形態において、システム１００の光チャネル１、２は、照明光源１０１の出力経路１１０、１１１から干渉計入力端１５２、１５３へ結合光を伝送すべく構成された光ファイバ１２８、１２９を含んでいる。一実施形態において、干渉計入力端１５２、１５３は、１個以上の光ファイバ１２８、１２９と直列接続された１個以上の光学素子を含んでいる。別の実施形態において、干渉計入力端１５２、１５３は光ファイバ１２８、１２９を含んでいてよい。干渉計入力端１５２、１５３は、照明光源１０１の出力経路１１０、１１１からの結合光の少なくとも一部を位相シフト干渉計１５０、１５２に誘導することができる。
【００２４】
一実施形態において、干渉計１５０、１５１は各々、干渉計入力端１５２、１５３から光を受光すべく構成された１個以上の偏光ビームスプリッタ１１２、１１３を含んでいる。別の実施形態において、ビームスプリッタ１１２、１１３は、一部の光を四分の一波長板１５４、１５５（例：偏光ビームスプリッタ１１２、１１３の偏光方向に対して４５度に配置された）に誘導する。偏光ビームスプリッタ１１２，１１３、および四分の一波長板１５４、１５５で透過する光は円形に偏光させることができる。円形に偏光された光は次いで、サンプル１１８の直径よりも大きい直径のビームに光を視準すべく構成されたレンズ１１４、１１５により受光することができる。１個以上のレンズ１１４、１１５はまた、視準されたビームを基準平板１１６、１１７（例：平行な基準平面）に誘導することができる。サンプル１１８は、基準平板１１６、１１７により画定される空腔１１９の中央に配置されていてよい。別の実施形態において、視準されたビームは、基準平板１１６、１１７を透過してサンプル１１８へ伝送されてもよい。
【００２５】
別の実施形態において、各々の透過ビームの第１の部分がサンプル１１８の１個以上の表面１２０、１２１に誘導される。更に、各々の透過ビームの第２の部分が１個以上の透過基準平板１１７、１１６の反対側に位置する基準平板１１６、１１７の基準面に誘導される。例えば、基準平板１１６からの透過ビームの第１の部分はサンプル１１８の試験表面１２０に誘導される一方、基準平板１１６からの透過ビームの第２の部分は基準平板１１６の基準面に誘導されてよい。同様に、基準平板１１７からの透過ビームの第１の部分はサンプル１１８の表面１２１に誘導される一方、基準平板１１７からの透過ビームの第２の部分は基準平板１１６の基準面に誘導されてよい。
【００２６】
別の実施形態において、システム１００は検出器１２２、１２３を含んでいる。検出器１２２、１２３は、１個以上のＣＣＤ検出器、１個以上のＴＤＩ−ＣＣＤ検出器、１個以上のＣＭＯＳ検出器、または当分野で公知の他の任意の光センサを含んでいてよいが、これらに限定されない。一実施形態において、検出器１２２、１２３は、サンプル１１８の１個以上の表面１２０、１２１から反射された照明の部分を検出すべく構成されていてよい。別の実施形態において、検出器１２２、１２３は、基準平板１１６、１１７の対応する基準面から反射された光の部分を検出すべく構成されている。別の実施形態において、システム１００は、検出器１２２、１２３と通信可能に接続された１個以上のコントローラ１２６，１２７を含んでいる。別の実施形態において、１個以上のコントローラ１２６、１２７は、検出器１２２、１２３から検出された光に関連付けられた情報を取得する。別の実施形態において、コントローラ１２６、１２７はメモリに保存されたプログラム命令から測定アルゴリズムを実行して、サンプル１１８からの測定値に基づいて、サンプル１１８の１個以上の空間特徴を判定することができる。位相シフト干渉分光システムによりサンプルの空間特徴を判定する測定アルゴリズムが当分野で公知である。当分野で公知の任意の測定処理をシステム１００および１個以上コントローラ１２６、１２７により実行できる点に注意されたい。
【００２７】
本開示ではシステム１００を二波長二重干渉計システムとして記述しているが、当該実装方式は、本開示の範囲を限定するものと解釈すべきではなく、単に説明目的で提示するものである。例えば、本開示の照明光源１０１は、複数チャネル検査、計測等を含むがこれらに限定されない、複数の光チャネルを要する任意の光学設定に基づいて実装されてよい。本開示は上述以外の点で、コンバイナ／スプリッタ素子１０６に関連する各種の実施形態について記述しており、これらは複数の波長倍数チャネル能力を要する任意の光学サブシステムに適用可能である。
【００２８】
図１Ｃは、本開示の１個以上の実施形態による、２個のレーザからの光とを結合する照明光源のコンバイナ／スプリッタ素子１０６を示す。一実施形態において、第１の入力光ファイバ束１０８は第１の波長λＡの光をコンバイナ／スプリッタ素子１０６へ伝送し、第２の入力光ファイバ束１０９は第２の波長λＢの光をコンバイナ／スプリッタ素子１０６へ伝送する。別の実施形態において、コンバイナ／スプリッタ素子１０６は、第１の波長λＡの光および第２の波長λＢの光を結合（または多重化）する。次いで、コンバイナ／スプリッタ素子１０６は光を、第１の出力光ファイバ束１１０と、第２の出力光ファイバ束１１１とに沿って進むように分割する。この点に関して、コンバイナ／スプリッタ素子１０６は、第１の出力光ファイバ束１１０が第１の波長λＡの光および第２の波長λＢの光の両方を受光すべく結合光を分割する。また、第２の出力光ファイバ束１１１もまた、第１の波長λＡの光および第２の波長λＢの光の両方を受光する。別の実施形態において、第１および第２の出力光ファイバ１１０、１１１は、２個のビームを出力すべく選択された光学サブシステム（例：ＤＷＦＤＩサブシステム）に接続されているため、各ビームが第１の波長λＡの光および第２の波長λＢの光を含んでいる。
【００２９】
別の実施形態において、コンバイナ／スプリッタ素子１０６は、第１および第２の出力光ファイバ束１１０、１１１が第１の波長λＡの光および第２の波長λＢの光を選択された割合で受光すべく結合光を分割する。例えば、コンバイナ／スプリッタ素子１０６は、第１の出力ファイバ束１１０の個々のファイバの第１の断片が第１の波長λＡの光を搬送し、第１の出力ファイバ束の残りの個々のファイバが第２の波長λＢの光を搬送すべく結合光を分割することができる。更に、コンバイナ／スプリッタ素子１０６はまた、第２の出力ファイバ束１１０の個々のファイバの第１の断片が第２の波長λＢの光を搬送し、第２の出力ファイバ束の残りの個々のファイバが第１の波長λＡの光を搬送すべく結合光を誘導することができる。
【００３０】
例えば、コンバイナ／スプリッタ素子１０６は、第１の出力光ファイバ束１１０のファイバの５０％および第２の光ファイバ束１１１のファイバの５０％が第１の波長λＡの光を搬送し、第１の光ファイバ束１１０のファイバの５０％および第２の光ファイバ束１１１のファイバの５０％が第２の波長λＢの光を搬送すべく結合光を分割することができる。本開示が、単に説明目的で提示する光成分の均等な分割に限定されない点に注意されたい。むしろ、コンバイナ／スプリッタ素子１０６が光成分の任意の結合を行う点を認識されたい。
【００３１】
例えば、コンバイナ／スプリッタ素子１０６は、第１の出力光ファイバ束１１０のファイバの６０％が第１の波長λＡの光を搬送し、第１の光ファイバ束１１０のファイバの４０％が第２の波長λＢの光を搬送する一方、第２の出力光ファイバ束１１１のファイバの４０％が第１の波長λＡの光を搬送し、第２の光ファイバ束１１１のファイバの６０％が第２の波長λＢの光を搬送すべく結合光を分割することができる。別の例として、コンバイナ／スプリッタ素子１０６は、第１の出力光ファイバ束１１０のファイバの７５％が第１の波長λＡの光を搬送し、第１の光ファイバ束１１０のファイバの２５％が第２の波長λＢの光を搬送する一方、第２の出力光ファイバ束１１１のファイバの２５％が第１の波長λＡの光を搬送し、第２の光ファイバ束１１１のファイバの７５％が第２の波長λＢの光を搬送すべく結合光を分割することができる。より一般的には、一実施形態において、二波長実装方式の場合、コンバイナ／スプリッタ素子１０６は、第１の出力光ファイバ束１１０のファイバのＮ％が第１の波長λＡの光を搬送し、第１の光ファイバ束１１０のファイバのＭ％が第２の波長λＢの光を搬送する一方、第２の出力光ファイバ束１１１のファイバのＭ％が第１の波長λＡの光を搬送し、第２の光ファイバ束１１１のファイバのＮ％が第２の波長λＢの光を搬送すべく結合光を分割することができ、ここにＮおよびＭは０〜１００の範囲にある。
【００３２】
別の実施形態において、第１および第２の光ファイバ束１１０、１１１の光ファイバは、出力ファイバの終終端が不規則に分布するように配置されている。光束の光ファイバ１１０、１１１の分布が、出力ファイバ１１０、１１１の出力端で均一な光分布を実現するのに役立つ点に注意されたい。
【００３３】
再び図１Ｂを参照するに、光源１０４、１０５が選択された任意の波長または波長範囲の光を生成すべく選択可能である点に注意されたい。例えば、光源１０４、１０５は各々、紫外、可視、または近赤外スペクトル領域の光を発することができる１個以上のレーザ光源を含んでいてよい。例えば、第１の光源１０４は、６３５または６３９ｎｍの波長で光を発するＴＤＬを含んでいてよいが、これに限定されない。これらの波長値がウェーハ形状およびＰＷＧ測定の実行に一般に用いられる波長値に対応する点に注意されたい。第２の波長λＢの選択が、対応する検出器（例：検出器１２２、１２３）のスペクトル応答範囲、対応する光学サブシステムに存在する光学素子、光学コーティングの存在等を含むがこれらに限定されない多くの要因に依存し得る点に注意されたい。例えば、第２の光源１０５は、近赤外スペクトル（例：８５０ｎｍ）の波長で光を発するＴＤＬを含んでいるがこれに限定されない。
【００３４】
一実施形態において、２個以上の光源１０４、１０５は、異なる時点で光を生成／発光すべく（例えばコントローラ毎に）制御される。別の実施形態において、２個以上の光源１０４、１０５は、同時に光を生成／発光すべく（例えばコントローラ毎に）制御される。別の実施形態において、光源１０４、１０５が同時に動作する場合、２個の光源１０４、１０５の出力が、１個以上のフィルタおよび／または１個以上のアルゴリズムを介して分割される。ウェーハ外形測定の場合、いくつかの実施形態において、通常の／低傾斜ウェーハ、無フィルムウェーハ、および未パターン化ウェーハから充分な測定値を得るために単一の光源だけで済む。ウェーハ外形測定が、例えば高傾斜ウェーハ、有フィルムウェーハ、およびパターン化ウェーハ用に測定能力を向上させるために第２の波長を必要とする場合、２個のレーザを同時にまたは別々に用いてもよい。この点に関して、光源１０４、１０５の別々または同時動作からのデータを用いてウェーハ外形情報を計算してもよい。
【００３５】
別の実施形態において、出力ファイバ束１１０、１１１から伝送された光は、１個以上の光学素子により処理される。例えば、システム１００は、１個以上の回転すりガラス素子および／またはビームホモジナイザ（図示せず）を含んでいてよい。この点に関して、出力ファイバ束１１０、１１１からの光は、ＤＷＤＦＩサブシステムのチャネル１およびチャネル２に入射する前に回転すりガラス素子を透過して伝送されてよい。
【００３６】
図１Ｄに、本開示の１個以上の実施形態による、２個のレーザからの光とを結合する照明光源のコンバイナ／スプリッタ素子の光ファイバ束１０８、１０９、１１０、１１１の個々のファイバを示す。光ファイバ束１０８〜１１１は、任意の個数の光ファイバを含んでいてよい。例えば、各々の光ファイバ束は、１０〜１０００個のファイバを含んでいてよいが、これに限定されない。例えば、図１Ｄは、各光ファイバ束１０８〜１１１が３７個の光ファイバを含む場合を示している。別の例として、各光束１０８〜１１１が１００個の光ファイバを含む二波長結合の場合、第１の入力光束１０８の１００個の光ファイバの全てが第１の波長λＡの光を搬送し、第２の入力光束１０９の１００個の光ファイバの全てが第２の波長λＢの光を搬送する。更に、第１の入力光束１０８の第１の選択された個数の光ファイバは第１の出力光束１１０へ送られる一方、第１の入力光束１０８の第２の選択された個数の光ファイバは第２の出力光束１１１へ送られる。同様に、第２の入力光束１０９の第１の選択された個数の光ファイバは第１の出力光束１１０へ送られる一方、第２の入力光束１０９の第２の選択された個数の光ファイバは第２の出力光束１１１へ送られる。図１Ｄは、第１および第２の出力光束１１０、１１１の光ファイバの５０％が第１の波長λＡの光を搬送し、光ファイバの残りの５０％が第２の波長λＢの光を搬送する場合を示している。当該構成は本開示を限定するものではなく、単に説明目的で提示している点に注意されたい。
【００３７】
図１Ｅに、本開示の１個以上の実施形態による、３個以上のレーザからの光とを結合する照明光源のコンバイナ／スプリッタ素子を示す。本開示の大部分が２個のレーザ光源（例：１０４、１０５）を用いるシステム１００の実装に焦点を当てているが、本開示のシステム１００が２個のレーザ光源に限定されない。システム１００、照明光源１０１、およびコンバイナ／スプリッタ素子１０６は任意の個数のレーザまたは光源を用いる動作に拡張できる点を認識されたい。
【００３８】
一実施形態において、図１Ｅに示すように、照明光源１０１は３個のレーザ光源１０４、１０５、および１４０を含んでいる。別の実施形態において、各々の光ファイバ束１０８、１０９、および１４０は、各々のレーザ光源１０４、１０５、および１４０からの光をコンバイナ／スプリッタ素子１０６へ伝送する。例えば、第１の入力光ファイバ束１０８は第１の波長λＡの光をコンバイナ／スプリッタ素子１０６へ伝送し、第２の入力光ファイバ束１０９は第２の波長λＢの光をコンバイナ／スプリッタ素子１０６へ伝送し、第３の入力光ファイバ束１４２は第３の波長λＣの光をコンバイナ／スプリッタ素子１０６へ伝送する。本構成が、Ｎ個以下の入力光源および光ファイバ束を含む任意の個数の照明光源および入力光ファイバ束に拡張できる点に注意されたい。
【００３９】
別の実施形態において、コンバイナ／スプリッタ素子１０６は、第１の波長λＡの光、第２の波長λＢの光、および第３の波長λＣの光を結合（または多重化）する。
【００４０】
別の実施形態において、コンバイナ／スプリッタ素子１０６は、第１の出力光ファイバ束１１０、第２の出力光ファイバ束１１１、および第３の出力光ファイバ束１４３に沿って進むように結合光を分割する。例えば、コンバイナ／スプリッタ素子１０６は、第１の出力光ファイバ束１１０が第１の波長λＡの光、第２の波長λＢの光、および第３の波長λＣの光を受光すべく結合光を分割することができる。更に、第２の出力光ファイバ束１１１および第３の出力光ファイバ束１４３もまた、第１の波長λＡの光、第２の波長λＢの光、および第３の波長λＣの光を受光する。
【００４１】
別の実施形態において、第１、第２、および第３の出力光ファイバ１１０、１１１、１４３は、光学サブシステムに３個のビームを出力すべく光学サブシステム（例：ＤＷＦＤＩサブシステム、検査システム、計測システム等）の選択された複数のチャネル（例：３個のチャネル）に接続されている（図示せず）ため、各ビームは、第１の波長λＡの光、第２の波長λＢの光、および第３の波長λＣの光を含んでいる。本構成が、Ｎ個以下の光チャネルを含む任意の個数の入力光チャネル有する光学サブシステムに拡張できる点に注意されたい。
【００４２】
上述のように、別の実施形態において、コンバイナ／スプリッタ素子１０６は、第１、第２、および第３の出力光ファイバ束１１０、１１１、１４３が第１の波長λＡの光、第２の波長λＢの光、および第３の波長λＣの光を選択された割合で受光すべく結合光を分割する。
【００４３】
例えば、コンバイナ／スプリッタ素子１０６は、第１の出力ファイバ束１１０の個々のファイバの第１の断片が第１の波長λＡの光を搬送し、第１の出力ファイバ束１１０の個々のファイバの第２の断片が第２の波長λＢの光を搬送し、第１の出力ファイバ束１１０の個々のファイバの第３の断片が第３の波長λＣの光を搬送すべく結合光を分割することができる。更に、コンバイナ／スプリッタ素子１０６は、第２の出力ファイバ束１１１の個々のファイバの第１の断片が第１の波長λＡの光を搬送し、第２の出力ファイバ束１１１の個々のファイバの第２の断片が第２の波長λＢの光を搬送し、第２の出力ファイバ束１１１の個々のファイバの第３の断片が第３の波長λＣの光を搬送すべく結合光を分割することができる。更に、コンバイナ／スプリッタ素子１０６は、第３の出力ファイバ束１４３の個々のファイバの第１の断片が第１の波長λＡの光を搬送し、第３の出力ファイバ束１４３の個々のファイバの第２の断片が第２の波長λＢの光を搬送し、第３の出力ファイバ束１４３の個々のファイバの第３の断片が第３の波長λＣの光を搬送すべく結合光を分割することができる。再び、本開示の全体を通じて述べているように、本構成が任意の個数のレーザ光源、入出力光ファイバ束、および任意の割合の波長構成要素に拡張できる点に注意されたい。
【００４４】
図１Ｆ〜１Ｇに、本開示の１個以上の実施形態による、２個の光ファイバの終端間の距離を制御することにより、選択された光路に沿って強度を調整すべく構成された照明光源およびコンバイナ／スプリッタ素子を示す。
【００４５】
別の実施形態において、各種の入力ファイバ束１０８、１０９および／または出力ファイバ束１１０、１１１に沿って進む光の強度が制御される。一実施形態において、１個以上ファイバ束１０８〜１１１に沿って進む光の強度は、１個以上のファイバ束１０８〜１１１に沿って「隙間」を含めることにより制御される。次いで隙間のサイズを制御することができる（例えば、コントローラ（図示せず）に接続された起動装置を介して制御される）。ファイバ終端間の隙間のサイズを制御することにより、隙間を横断して所与のファイバ束を下って伝送される光の強度が制御される。例えば、図１Ｅ、１Ｆに示すように、ファイバ断面間の距離ｄ１〜ｄ４が制御されることにより、ファイバ間の所与の隙間の下流にあるファイバ断面へ伝送される光の強度を制御する。例えば、図１Ｆに示すような第１の入力光ファイバ束１０８の場合、第１のファイバ断面１３０と第２のファイバ断面１３２と間の距離ｄ１を制御することにより、第１のファイバ断面１３０から第２のファイバ断面１３２へ伝送される光の強度を制御することができる。この点に関して、下流のファイバ断面へ伝送される光の強度は、所与の隙間のサイズに反比例する。この強度制御機構が本開示全体を通じて記述している入出力ファイバ束断面のいずれにも適用できる点に注意されたい。
【００４６】
一実施形態において、入力および／または出力ファイバ束１０８〜１１１に沿って伝送される光は異なる物理特性を有していてよい。また、異なる波長特性を有するために、本開示全体を通じて述べたように、光は多くの異なる物理特性をも有していてよい。例えば、入力および／または出力ファイバ束に沿って伝送される光は、異なる強度、異なる偏光特性、異なる変調特徴等を有していてよい。例えば、第１の入力光ファイバ束１０８により伝送される光は１個以上の第１の物理特性を有していてよく、一方、第２の入力光ファイバ束１０９により伝送される光は、第１の物理特性とは異なる１個以上の第２の物理特性を有している。例えば、第１の入力光ファイバ束１０８により伝送される光は第１の強度を有していてよく、一方、第２の入力光ファイバ束１０９により伝送される光は、第１の強度とは異なる第２の強度を有している。別の例において、第１の入力光ファイバ束１０８により伝送される光は第１の偏光特性を有していてよく、一方、第２の入力光ファイバ束１０９により伝送される光は、第１の偏光特性とは異なる第２の偏光特性を有している。別の例において、第１の入力光ファイバ束１０８により伝送される光は第１の変調周波数を有していてよく、一方、第２の入力光ファイバ束１０９により伝送される光は、第１の変調周波数とは異なる第２の変調周波数を有している。伝送される光の物理特性のこのような差異は本開示を通じて記述する光ファイバ束のいずれにも拡張できる点に注意されたい。
【００４７】
図２に、本開示の１個以上の実施形態による、照明光源の２個以上のレーザから結合光を光学サブシステムの２個以上のチャネルへ伝送する方法を記述するフロー図を示す。本開示の以下の部分を通じて記述する方法は、上述のシステム１００の観点から記述されているが、以下の方法がシステム１００の構造的および光学的構成に限定されない点に注意されたい。むしろ、方法２００が更なる構造的および光学的構成に拡張できる点を認識されたい。
【００４８】
ステップ２０２において、第１の波長λＡの光を生成して第１の入力経路１０８に沿って誘導する。ステップ２０４において、第２の波長λＢの光を生成して第２の入力経路１０９に沿って誘導する。ステップ２０６において、第１の波長λＡの光および第２の波長λＢの光を結合する（例えば、コンバイナ／スプリッタ素子１０６により結合する）。ステップ２０９において、第１のチャネルおよび第２のチャネルが共に第１の波長λＡおよび第２の波長λＢの光を受光するように、結合光を光学サブシステムの第１のチャネル（チャネル１）および第２のチャネル（チャネル２）に分割する。
【００４９】
本明細書において方法２００の実装方式について述べているが、本発明の本質から逸脱することなく方法２００の各種ステップを様々な仕方で包含、除外、再配置、および／または実行してもよいことが更に考えられる。従って、方法２００の上述の実施形態および実装方式は単に例示的に含まれているに過ぎず、本開示を一切限定するものではない。
【００５０】
本開示を通じて記述する各種ステップが単一のコンピュータシステムにより、または代替的に複数のコンピュータシステムにより実行されてよい点を認識されたい。更に、本システムの異なるサブシステムは、上述のステップ少なくとも一部の実行に適したコンピュータシステムを含んでいてよい。従って、上述の説明は、本発明を限定するものではなく、単に例示的に過ぎないと解釈すべきである。更に、１個以上のコンピュータシステムは、本明細書に記述する任意の方法の他の任意のステップ（群）を実行すべく構成されていてよい。
【００５１】
本コンピュータシステムは、パーソナルコンピュータシステム、メインフレームコンピュータシステム、ワークステーション、画像コンピュータ、並列プロセッサ、または当分野で公知の他の任意の装置を含んでいてよいが、これらに限定されない。一般に、用語「コンピュータシステム」は広義には、メモリ媒体からの命令を実行する１個以上のプロセッサを有する任意の装置を含むものとして定義できる。
【００５２】
本明細書に記述しているような方法を実行するプログラム命令は、搬送媒体を介して伝送または搬送媒体に保存することができる。搬送媒体は、導線、ケーブル、または無線伝送リンク等の伝送媒体であってよい。搬送媒体はまた、読み出し専用メモリ、ランダムアクセスメモリ、磁気または光ディスク、あるいは磁気テープ等の記憶媒体を含んでいてよい。
【００５３】
本明細書に記述する方法の全ては、本方法の実施形態の１個以上のステップの結果を記憶媒体に保存するステップを含んでいてよい。当該結果は本明細書に記述するいずれの結果を含んでいてよく、当分野で公知の任意の仕方で保存されていてよい。記憶媒体は、本明細書に記述する任意の記憶媒体、または当分野で公知の他の任意の適当な記憶媒体を含んでいてよい。これらの結果は、保存された後で記憶媒体内でアクセス可能であって、本明細書に記述する任意の方法またはシステム実施形態により利用すること、ユーザーへの表示用にフォーマット化すること、および別のソフトウェアモジュール、方法、またはシステム等により利用することができる。更に、これらの結果は「永久に」「半永久的に」一時的に、またはある期間にわたり保存することができる。例えば、記憶媒体はランダムアクセスメモリ（ＲＡＭ）であってよく、これらの結果は記憶媒体に必ずしも無期限に残る訳ではない。
【００５４】
上述の方法の各実施形態が、本明細書に記述する他の任意の方法（群）の他の任意のステップ（群）を含んでいてよいことが更に考えられる。また、上述の方法の各実施形態が、本明細書に記述するシステムのいずれによっても実行可能である。
【００５５】
当業者には、装置および／または処理を本明細書に開示するように記述し、その後、このように記述された装置をおよび／または処理を工学的手法を用いてデータ処理システムに組み込むことが当分野では一般的である点が認識されよう。すなわち、本明細書に記述する装置および／または処理の少なくとも一部を、合理的な量の実験を介してデータ処理システムに組み込むことができる。当業者には、典型的なデータ処理システムが一般に、システムユニット筐体、ビデオ表示装置、揮発性および不揮発メモリ等のメモリ、マイクロプロセッサおよびデジタル信号プロセッサ等のプロセッサ、オペレーティングシステム、ドライバ、グラフィカルユーザーインターフェース、およびアプリケーションプログラム等の計算実体、タッチパッドまたは画面等の１個以上の対話装置、および／またはフィードバックループおよび制御モーターを含む制御システム（例：位置および／または速度の検出用フィードバック、部品および／または量を移動および／または調整する制御モーター）、のうち１個以上を含む点を認識されよう。典型的なデータ処理システムは、任意の適当な市販製品、例えばデータ計算／通信および／またはネットワークコンピューティング／通信システムに典型的に見られるものを利用して実装可能である。
【００５６】
本明細書に記述する本主題の特定の態様を図示および説明してきたが、当業者には、本明細書の開示内容に基づいて、本明細書に記述する主題およびそのより広範な態様から逸脱することなく変更および修正を加えることができ、従って、添付の請求項が自身の範囲内でそのような変更および修正を、本明細書に記述する主題の真の趣旨および範囲内に含まれるように全て含むことが明らかであろう。更に、本発明が添付の請求項により規定される点を理解されたい。
【図１Ａ】
0006594979.tif 000002
【図１Ｂ】
0006594979.tif 000003
【図１Ｃ】
0006594979.tif 000004
【図１Ｄ】
0006594979.tif 000005
【図１Ｅ】
0006594979.tif 000006
【図１Ｆ】
0006594979.tif 000007
【図１Ｇ】
0006594979.tif 000008
【図２】
0006594979.tif 000009